(57)【要約】【課題】衣類の首部開口を伸ばすことなく簡便かつスムーズに衣類に装着させることができるとともに、構造が簡単で安価に製造できるハンガー装置を提供する【解決手段】衣類の肩掛け部を有する横に長いハンガー本体１２と、ハンガー本体１２に接続されて該ハンガー本体１２を吊り下げ状に支持する支持部１４と、を有し、ハンガー本体１２の長手方向に沿って支持部１４の接続位置を変更可能に設けられたことを特徴とするハンガー装置１０から構成される。【選択図】図２
2008043620.tif 000002
【特許請求の範囲】
【請求項１】
衣類の肩掛け部を有する横に長いハンガー本体と、
ハンガー本体に接続されて該ハンガー本体を吊り下げ状に支持する支持部と、を有し、
ハンガー本体の長手方向に沿って支持部の接続位置を変更可能に設けられたことを特徴とするハンガー装置。
【請求項２】
支持部のハンガー本体に対する所定の接続位置でその位置を保持するように支持部を係止、解除可能に係止する係止装置が設けられたことを特徴とする請求項１記載のハンガー装置。
【請求項３】
ハンガー本体は長手方向に伸縮して肩掛け部の肩幅長を変更するように設けられたことを特徴とする請求項１又は２記載のハンガー装置。
【請求項４】
ハンガー本体は、複数の曲り杆を直線状に進退移動可能なように組み付けてその直線状伸縮部分に互いに平行な複数の直線部を形成しており、
支持部はそれぞれの直線部に同時に係合しつつそれらの長手方向に沿って移動できるように設けられたことを特徴とする請求項１ないし３のいずれかに記載のハンガー装置。
【請求項５】
各直線部は、内装杆部材を外側パイプ内に進退自在に挿嵌させてハンガー本体長さを伸縮自在としたことを特徴とする請求項４記載のハンガー装置。
【請求項６】
曲り杆は、内装杆部材と外側パイプとを曲成させて閉ループパイプ体を構成するように組み付けられ、その長手方向に伸縮するように設けられたことを特徴とする請求項５記載のハンガー装置。
【請求項７】
直線部は、曲り杆に加わるねじり力に抗して内装杆部材と外側パイプとが互いに長手軸線回りに回転するのを防止する回り止め構造を備えていることを特徴とする請求項５または６記載のハンガー装置。
【発明の詳細な説明】
【技術分野】
【０００１】
本発明は、衣類の首部周りの伸びを防止できるハンガー装置に関する。
【背景技術】
【０００２】
図１２に示すように、例えば、従来のハンガー１００は横に広がった肩掛け部の上端中央位置にフック部が固定されているものが広く利用されている。従来のハンガー１００にＴシャツやセーター等の胸前が開かず孔状の首部開口を有する衣類１０２を掛ける際には、衣類１０２の首部開口１０４から内に肩掛け部を一方端部からフック部の位置まで挿入し、そして他方側の端部を挿入させて衣類の肩部を支持する。しかしながら、肩掛け部の他方の端部を首部開口に挿入する際には、図の二点鎖線に示すように首部開口１０２を強制的に引っ張って首部開口を横に広げる必要があるので、衣類の首部開口が伸びて変形してしまう問題があった。
【０００３】
一方、例えば、特許文献１には、Ｔシャツ等の首部開口の形を崩さないことを目的とする衣服用ハンガーが提案されている。特許文献１では、縦長方形状の基板と、基板に上下に摺動可能に支持され上部にラックが形成された摺動杆と、基端部を基板に枢支しつつ該基端部に摺動杆のラックと噛み合うピニオンが形成された肩受け杆と、を有し、摺動杆の上下動に連動して肩受け杆を上下に回動させる衣服用ハンガーが開示されている。そして、この衣服用ハンガーは、衣服の首部開口から衣服内に挿入し、挿入後にハンガーの摺動杆を下方に引くことにより肩受け杆を回動させて横に広げて、衣服の肩部を支持するものである。
【特許文献１】特開２００６−６１３４７号公報
【発明の開示】
【発明が解決しようとする課題】
【０００４】
しかしながら、特許文献１の衣服用ハンガーでは、部品点数が多く、枢支部やラック、ピニオン機構等を有しているので構造が複雑であり、高コストなものであった。また、肩受け杆を回動させる際には、衣服の内部に挿入されている摺動杆を操作する必要があるので操作性も悪く、実用性が低いという問題があった。
【０００５】
本発明は上記従来の課題に鑑みてなされたものであり、その一つの目的は、衣類の首部開口を伸ばすことなく簡便かつスムーズに衣類に装着させることができるとともに、構造が簡単で安価に製造できるハンガー装置を提供することにある。
【課題を解決するための手段】
【０００６】
上記課題を解決するために本発明は、衣類１０２の肩掛け部を有する横に長いハンガー本体１２と、ハンガー本体１２に接続されて該ハンガー本体１２を吊り下げ状に支持する支持部１４と、を有し、ハンガー本体１２の長手方向に沿って支持部１４の接続位置を変更可能に設けられたことを特徴とするハンガー装置１０から構成される。
【０００７】
また、支持部１４のハンガー本体１２に対する所定の接続位置でその位置を保持するように支持部１４を係止、解除可能に係止する係止装置３２が設けられたこととしてもよい。
【０００８】
また、ハンガー本体１２は長手方向に伸縮して肩掛け部の肩幅長を変更するように設けられたこととしてもよい。
【０００９】
また、ハンガー本体１２は、複数の曲り杆２０を直線状に進退移動可能なように組み付けてその直線状伸縮部分に互いに平行な複数の直線部１８を形成しており、支持部１２はそれぞれの直線部１８に同時に係合しつつそれらの長手方向に沿って移動できるように設けられたこととしてもよい。
【００１０】
また、各直線部１８は、内装杆部材２４，２４ａを外側パイプ２２、２２ａ内に進退自在に挿嵌させてハンガー本体１２長さを伸縮自在としたこととしてもよい。
【００１１】
また、曲り杆２０は、内装杆部材２４，２４ａと外側パイプ２２，２２ａとを曲成させて閉ループパイプ体を構成するように組み付けられ、その長手方向に伸縮するように設けられたこととしてもよい。
【００１２】
また、直線部１８は、曲り杆に加わるねじり力に抗して内装杆部材２４，２４ａと外側パイプ２２，２２ａとが互いに長手軸線回りに回転するのを防止する回り止め構造を備えていることとしてもよい。
【発明の効果】
【００１３】
本発明のハンガー装置によれば、衣類の肩掛け部を有する横に長いハンガー本体と、ハンガー本体に接続されて該ハンガー本体を吊り下げ状に支持する支持部と、を有し、ハンガー本体の長手方向に沿って支持部の接続位置を変更可能に設けられたことから、支持部のハンガー本体に対する接続位置を変更させることで、前胸が開かず頭からかぶって着る衣類であっても首部開口をほとんど又は全く伸ばすことなく首部開口からハンガー本体をスムーズに挿入することができるとともに挿入後に再び支持部の接続位置を変更させてハンガー本体に衣類を掛ける状態とすることができる。また、ハンガー本体を衣類内に挿入した状態でも支持部は首部開口から外部に出ているので、支持部を手で簡便に操作することができ使い勝手がよい。さらに、支持部の接続位置の変更可能な構成を、例えばスライド構成等の簡単な構造で実現でき、製造コストも安い。
【００１４】
また、支持部のハンガー本体に対する所定の接続位置でその位置を保持するように支持部を係止、解除可能に係止する係止装置が設けられた構成とすることにより、ハンガー本体の所定の接続位置に設定した支持部が長手方向へずれるのを防止できる。例えば、ハンガー装置に衣類を掛けている状態で不意に支持部のハンガー本体に対する接続位置が変化することによる衣類の落下や、衣類にしわが生じる等を良好に防止できる。
【００１５】
また、ハンガー本体は長手方向に伸縮して肩掛け部の肩幅長を変更するように設けられた構成とすることにより、１つのハンガー装置でサイズの異なる衣類に幅広く対応して良好に支持することができる。
【００１６】
また、ハンガー本体は、複数の曲り杆を直線状に進退移動可能なように組み付けてその直線状伸縮部分に互いに平行な複数の直線部を形成しており、支持部はそれぞれの直線部に同時に係合しつつそれらの長手方向に沿って移動できるように設けられたことにより、ハンガー本体は長手方向に伸縮できる構成を曲り杆を組み付けただけの簡単な構造で具現できるとともに、直線部によりハンガー本体の伸縮を安定、円滑、確実に行える。さらに、支持部の接続位置の変更も直線部に沿って移動させるだけで簡便に行えるとともに、複数の直線部により安定的に案内されながら移動されるので確実性、操作性が高い。
【００１７】
また、各直線部は、内装杆部材を外側パイプ内に進退自在に挿嵌させてハンガー本体長さを伸縮自在としたことから、簡単な構造で安定して伸縮される直線部を具現でき、製造コストを安価にしうる。
【００１８】
また、曲り杆は、内装杆部材と外側パイプとを曲成させて閉ループパイプ体を構成するように組み付けられ、その長手方向に伸縮するように設けられた構成とすることにより、変形しにくい強固なハンガー本体の構造を簡単なパイプ構成で実現でき、低コストで製造できる。同時に、ハンガー本体長さの長手方向の伸縮を安定かつスムーズに行えるとともに支持部のハンガー本体に対する移動も安定かつスムーズに行え、さらには、衣類をハンガー本体に掛けた際にも衣類を良好に支持できる。
【００１９】
また、直線部は、曲り杆に加わるねじり力に抗して内装杆部材と外側パイプとが互いに長手軸線回りに回転するのを防止する回り止め構造を備えていることから、例えば、組み付けられた複数の曲り杆の両端側に互いに逆方向にねじるような力が加わった場合でも、複数の直線部はねじれ等の変形を起こすことなく互いに平行な直線状態を保持できる結果、直線部の直線状伸縮動作及び直線部に係合する支持部の移動を常に安定かつ円滑な状態で維持できる。
【発明を実施するための最良の形態】
【００２０】
以下添付図面を参照しつつ本発明のハンガー装置について説明する。本発明のハンガー装置は、種々の衣類の肩部を掛けて支持するものであって、例えば、Ｔシャツやセーター等の頭からかぶって着るプルオーバータイプの衣類であっても首部開口の周りの伸びや形崩れを防止しながら掛け操作または離脱操作することができるハンガーである。図１ないし図１１は、本発明のハンガー装置の第１の実施の形態を示している。本実施形態において、ハンガー装置１０は、衣類の肩掛け部を有する横に長いハンガー本体１２と、ハンガー本体１２に接続されてハンガー本体１２を吊り下げ状に支持する支持部１４と、を有し、ハンガー本体１２の長手方向に沿って支持部１４の接続位置を変更可能に設けられている。
【００２１】
本実施形態では、ハンガー本体１２は、図１、図２、図３に示すように、例えば、正面視横長直線状に形成された枠状体からなり、衣類の内部に挿入されて両端部側が肩掛け部となって衣類の肩部を内側から支持する。ハンガー本体１２は、左右両端部に形成された曲成部１６と、奥行幅方向にある程度離隔しつつ互いに平行に対向して配置された２つの直線部１８と、を形成して平面視横長閉鎖枠状体となっている。本実施形態では、直線部１８に支持部１４が接続される。ハンガー本体１２は、同一形状の２つの曲り杆２０を組み付けて設けられている。各曲り杆２０は略Ｕ字状に設けられており、ハンガー本体１２の両端部を形成する曲成部１６と、曲成部１６に一体的に接続されて平行に配置された２本の直杆部と、が一体的に設けられている。図４にも示すように、曲り杆２０は、例えば、硬質合成樹脂等からなり、断面円形状の中空パイプからなる外側パイプ２２と、外側パイプの内径と略同じ大きさの外径を有する中実（又は中空）の内装杆部材２４と、を有している。曲り杆２０は、外側パイプ２２と内装杆部材２４との端部どうしを連結させて、外側パイプの連結端部側部分、すなわち外側パイプ２２と内装杆部材２４とを接続した接続杆部材の中間となる位置をＵ字状に曲成させて、曲成部１６を形成しつつ、直線状に延びた外側パイプ２２とを内装杆部材２４とが互いに平行に対向させるように形成されている。これらの曲り杆２０を互いにそれぞれの直杆部となる内装杆部材２４を他方の外側パイプ２２内に進退自在に挿嵌させて、それらの曲り杆２０どうしが長手方向に直線状に進退移動可能でかつ閉ループパイプ体を構成するように組み付けられる。すなわち、その内装杆部材２４を外側パイプ２２内に進退自在に挿嵌させることにより構成される直線状伸縮部分が互いに平行な２本の直線部１８となる。これにより、ハンガー本体１２は長手方向の長さが伸縮自在であり、肩掛け部の肩幅長を変更できるようになっている。また、閉ループパイプ体で構成されるとともに平行な２本の直線部１８を含む構成により、強度が高く変形しにくく、曲り杆の直線状の進退移動が安定して行え、伸縮操作をスムーズに行える。本実施形態では、外側パイプ２２及び内装杆部材２４の直杆部部分の長さは略同じ長さで設けられており、内装杆部材２４が外側パイプ内に完全に挿入されるとともに伸長時には長手方向の長さが縮小時の約２倍の長さとなるように設定されている。なお、曲り杆は断面円形に限らず、後述の実施形態のように例えば、断面略Ｉ字状、多角形状等その他任意の形状としてもよい。また、ハンガー本体は、３本以上の複数の曲り杆を組み付けて構成してもよく、複数の直線部を形成してもよい。
【００２２】
支持部１４は、ハンガー本体１２の長手方向に沿って接続位置を変更可能に設けられている。本実施形態では、図１、図２、図３に示すように、支持部１４は、例えば、ハンガー本体１２の直線部１８に上方側に逆Ｔ字状に突出して配置された状態で接続されるフック体２６からなる。フック体２６は、縮状態のハンガー本体１２に対して長手方向に沿って一端から他端の曲成部近傍位置までスライド自在に接続部２７をそれらの直線部１８に摺動させて任意の位置に設定できるようになっている。よって本実施形態では、フック体のハンガー本体１２に対するスライド操作のみで接続位置の変更操作を簡便に行えるようになっている。本実施形態では、フック体２６は、例えば、図２に示すように平行に配置された直線部１８の外側パイプ２２に架設状に跨るように接続され、２つの外側パイプ２２に同時に係合しつつ安定的に案内されながらそれらの長手方向に沿って自在に移動できる。具体的には、フック体２６は、例えば、硬質合成樹脂から形成されており、接続部として各々の外側パイプ２２の直線部分の外側に外嵌状に係合して該外側パイプ２２の長手方向に沿って自在に移動可能とするスライドスリーブ部２８と、スライドスリーブ部２８を両側に連結して２つの外側パイプ２２に跨設状に配置される連結基部２９と、連結基部２９の上方側に立設状に連結されたフック部３０と、が一体的に設けられている。本実施形態では、フック体２６は後述のストッパ部３８により移動を規制され外側パイプ２２にのみ摺動係合するようになっており、常に平行に配置された２つの外側パイプ２２に同時に係合した状態が保持される。このようにフック体２６のハンガー本体１２に対する接続位置を変更可能とすることにより、例えば、ハンガー本体１２に衣類を掛ける作業でハンガー本体１２を衣類の首部開口から挿入する際には、フック体２６をハンガー本体１２の後から衣類内に挿入される端部側に近付けて接続しておくことで、衣類の首部開口を伸ばすことなく円滑に挿入することができる。さらに、フック体２６をハンガー本体１２に対して接続位置を中央位置に戻して左右バランスのとれた安定した状態で吊り下げ状に支持することができる。なお、フック部は、例えば、物干し竿等の長手方向に対してハンガー本体の長手方向が直交となる向きで固定されているがその向きは任意に設定してよく、縦軸回りに回転して向きを自在に変更できるように構成されていても良い。また、支持部は、フック体に限らず、例えば、環状のものや、互いに近接離間して物干し竿等を挟持するもの等でもよく、ハンガー本体を吊り下げ状に支持させ得るものであれば任意でよい。
【００２３】
本実施形態では、フック体２６がハンガー本体１２に対する所定の位置でその位置を保持するように、すなわち、ハンガー本体１２の所定の位置に接続させたフック体２６がハンガー本体１２の長手方向に沿って容易に移動するのを規制するように、フック体２６をハンガー本体１２の長手方向に対して係止、解除可能に係止する係止装置３２が設けられている。図５、図６、図７に示すように、係止装置３２は、例えば、フック体２６側に設けられ外側パイプ２２に向けて断面円弧状に突設した凸部３４と、凸部３４を受け入れてフック体２６を係止させるように外側パイプ２２の外周面に設けられた断面円弧状の凹部３６と、を含む。凸部３４は、フック体のスライドスリーブ部２８の一部が分割されて形成された係止片３５の端部側に一体的に設けられており、凸部３４は係止片の素材による弾性変形、復元により外側パイプ２２に向けて常時付勢されている。凹部３６は、ハンガー本体１２が縮状態でフック体２６の接続位置が長手方向のセンターとなる位置に対応した位置に設けられている。図５に示すように、フック体２６をセンター位置に移動させるとフック体の係止片３５の素材による弾性付勢力により凸部３６が外側パイプ２２の凹部内に挿入されて係止状態となり、フック体がその接続位置からハンガー本体の長手方向へ位置ずれするのを防止する。例えば、フック体２６がハンガー本体１２のセンター位置で接続された状態では、左右のバランスがとれた安定した状態となるので、長手方向への移動を防止してこの接続位置を保持することで良好にハンガー本体に掛けた衣類を支持できる。一方、図６に示すようにフック体２６を手で強制的に係止片３５の素材の弾性力に抗してスライド方向に強い力を加えると、係止片３５が外側に変形して凸部３４が凹部３６から離脱して、フック体２６をハンガー本体に対して自在にスライド移動させてその接続位置を変更できる。なお、本実施形態では凹部３６はそれぞれの外側パイプ２２に１個ずつ設けたがこれに限らず、例えば、外側パイプの長手方向に沿って所定の間隔に複数個設けることとしてもよい。また、係止装置の構成は上記形態のものに限らず、例えば、外側パイプ２２側に半球状の凸部を設けフック体のスライドスリーブ部内側に凹部を設ける構成、スライドスリーブ部と外側パイプ又は内装杆部材とを貫通するピンにより係止するピン止め構成、スライドスリーブ部の内部又は曲り杆の外部にゴム等を配置させて摩擦により係止力を作用させる摩擦係止構成等、その他任意の係止構成でもよい。
【００２４】
また、図４、図５、図６に示すように、本実施形態では、ハンガー本体１２にはフック体２６のスライド移動範囲を規制するストッパ部３８が設けられている。ストッパ部３８は、例えば、各外側パイプ２２の他の曲り杆２０の内装杆部材２４を挿入している端部に一体的に固設された突起部からなり、フック体２６のスライドスリーブ部２８の端部に当たって外側パイプ２２からのフック体２６の離脱を防止している。また、本実施形態では、このストッパ部３８は、図４に示すように、曲り杆２０を互いに離隔方向に進退させて直線部１８を長手方向に伸ばした際に、２つの外側パイプ２２のストッパ部３８とスライドスリーブ部２８とが係止され、それ以上の曲り杆２０の退避方向への移動を妨げる。これにより、曲り杆２０どうしの分離すなわち、外側パイプ２２内から内装杆部材２４の離脱防止としても機能する。
【００２５】
次に図８、図９を参照しつつ本実施形態に係るハンガー装置１０の作用を説明する。本実施形態に係るハンガー装置１０に例えばＴシャツ等の衣類１０２を掛ける際には、図８に示すように、まず、支持部１４をハンガー本体１２の長手方向に沿ってスライド移動させて支持部１４の接続位置をハンガー本体の長手方向のいずれかの端部側、例えば左端部側に設定する。ハンガー本体１２の支持部１４から離隔した端部である右端部側から衣類１０２の首部開口１０４を介して内に挿入し、次に他方の左端部を挿入する。この際、支持部１４とハンガー本体１２の後から衣類内に挿入される左端部との長さが比較的短いので、首部開口をほとんど又は全く伸ばすことなく、スムーズに挿入することができる。従って、衣類１０２の首部開口１０４の周囲の伸びや形崩れを良好に防止できる。ハンガー本体１２を衣類１０２内に挿入した後には、図９に示すように、支持部１４をハンガー本体１２のセンター位置にスライド移動して、ハンガー本体１２の両端部側の肩掛け部で衣類の両肩部を支持させる。このようにして、ハンガー装置にＴシャツ等の衣類を円滑に掛けることができる。また、図４に示すように、必要に応じて、曲り杆２０を互いに進退させてハンガー本体１２の長さを伸縮することができ、１つのハンガー装置で子供用衣類から大人用衣類まで大きさの異なる衣類にも幅広く対応して良好に支持することができる。一方、衣類１０２からハンガー装置１０を離脱する際にも、同様に、支持部１４をスライド移動させてハンガー本体１２の端部位置に接続した状態とすることで、首部開口１０４を伸ばすことなく円滑に外すことができる。なお、当然ながら本実施形態に係るハンガー装置１０はワイシャツ、コート、和服、浴衣等の胸開きする衣類を掛けることもできる。
【００２６】
次に、図１０、図１１を参照しつつ本発明のハンガー装置の第２の実施形態について説明するが、上記実施形態と同一部材には同一符号を付しその詳細な説明を省略する。この実施形態に係るハンガー装置１０ａは、上記第１実施形態と略同じ構成であるが、曲り杆２０ａの縦断面形状が異なっている。本実施形態では、曲り杆２０ａの外側パイプ２２ａと内装杆部材２４ａは縦断面略Ｉ字状に設けられている。よって、例えば、組み付けられた２つの曲り杆２０ａの両端側に互いに逆方向にねじるように作用するねじり力が加わった際に、外側パイプ２２ａと内装杆部材２４ａとが互いに長手軸線回りに回転することがなく、それらが構成する２本の直線部１８がねじれるのを防止して互いに平行な状態を保持する。すなわち、本実施形態では、外側パイプ２２ａと挿嵌される内装杆部材２４ａの縦断面形状により長手軸線回りに回転するのを防止する回り止め構造４０を実現している。従って、ハンガー本体１２の長手方向長さの直線状伸縮やフック体２６の外側パイプ２２ａに対する移動を安定かつ円滑な状態に常に維持できる。なお、曲り杆２０ａの縦断面形状は、例えば、三角形状、四角形状、その他の多角形状、それらの多角形の隅部を丸くしたもの、又はＴ字状、Ｈ字状その他異形形状等、縦断面形状が非円形となる任意の形状でもよい。
【００２７】
以上説明した本発明のハンガー装置は、上記した実施形態のみの構成に限定されるものではなく、特許請求の範囲に記載した本発明の本質を逸脱しない範囲において、任意の改変を行ってもよい。
【産業上の利用可能性】
【００２８】
本発明のハンガー装置は、種々の衣類を掛けるのに用いられ、特にＴシャツ、トレーナー、セーター等の胸前が開かず頭からかぶって着るプルオーバータイプの衣類を首部開口の周りの伸びや型崩れを防止しながら掛けるのに好適に利用できる。
【図面の簡単な説明】
【００２９】
【図１】本発明の第１の実施形態に係るハンガー装置の正面図である。
【図２】図１のハンガー装置の平面図及び作用説明図である。
【図３】図１のハンガー装置のＡ−Ａ線断面図である。
【図４】ハンガー本体を長手方向に伸ばした状態を示す一部省略作用説明図である。
【図５】図１のハンガー装置のＢ−Ｂ線で支持部の一部を断面した状態を示す一部省略断面拡大図である。
【図６】図５のハンガー装置の作用説明図である。
【図７】係止装置の一部拡大斜視説明図である。
【図８】図１のハンガー装置に衣類を掛ける又は離脱する際の作用説明図である。
【図９】図１のハンガー装置に衣類を掛ける又は離脱する際の作用説明図である。
【図１０】本発明の第２の実施形態に係るハンガー装置の一部切欠斜視概略図である。
【図１１】図１０のハンガー装置の曲り杆の直線部での縦断面説明図である。
【図１２】従来のハンガーに衣類を掛ける際の説明図である。
【符号の説明】
【００３０】
１０，１０ａ    ハンガー装置
１２    ハンガー本体
１４    支持部
２０，２０ａ    曲り杆
２２，２２ａ    外側パイプ
２４，２４ａ    内装杆部材
３２    係止装置
４０    回り止め構造
【図１】
2008043620.tif 000003
【図２】
2008043620.tif 000004
【図３】
2008043620.tif 000005
【図４】
2008043620.tif 000006
【図５】
2008043620.tif 000007
【図６】
2008043620.tif 000008
【図７】
2008043620.tif 000009
【図８】
2008043620.tif 000010
【図９】
2008043620.tif 000011
【図１０】
2008043620.tif 000012
【図１１】
2008043620.tif 000013
【図１２】
2008043620.tif 000014